(57)【要約】【課題】必要に応じて接続方法を選択し、ミニＰＣＩ−Ｅインタフェースの拡張メモリが容易に交換可能なソリッド・ステート・ディスク装置を提供する。【解決手段】ソリッド・ステート・ディスク装置１は、平板１００および複数の接続インタフェースからなり、この複数の接続インタフェースは、平板１００の一面上に配置される、拡張メモリと接続されるミニＰＣＩ−Ｅインタフェース１０１、コンピュータ本体と接続されるＳＡＴＡインタフェース１０３、およびコンピュータ本体と接続されるＵＳＢインタフェース１０５を含む。チップ１０２は、ミニＰＣＩ−Ｅインタフェース１０１と、ＳＡＴＡインタフェース１０３およびＩＤＥインタフェース１０７との接続およびデータ伝送を制御する。また、チップ１０４は、ミニＰＣＩ−Ｅインタフェース１０１と、ＵＳＢインタフェース１０５との接続およびデータ伝送を制御する。【選択図】図１
0003141451.tif 000002
【実用新案登録請求の範囲】
【請求項１】
平板および複数の接続インタフェースからなり、前記複数の接続インタフェースは、
前記平板の一面上に配置され、拡張メモリと接続されるミニＰＣＩ−Ｅインタフェースと、
前記平板の一面上に配置され、コンピュータ本体と接続されるＳＡＴＡインタフェースと、
前記平板の一面上に配置され、前記コンピュータ本体と接続されるＵＳＢインタフェースと、を含むことを特徴とするソリッド・ステート・ディスク装置。
【請求項２】
前記ＳＡＴＡインタフェースおよび前記ＵＳＢインタフェースが同時に前記コンピュータ本体に接続された時に、前記ＳＡＴＡインタフェースが選択されて実質的に接続されることを特徴とする請求項１に記載のソリッド・ステート・ディスク装置。
【請求項３】
前記複数の接続インタフェースは、前記平板の一面上に配置されて前記コンピュータ本体と接続されるＩＤＥインタフェースをさらに備えることを特徴とする請求項１に記載のソリッド・ステート・ディスク装置。
【請求項４】
前記平板の一面上に配置され、前記ミニＰＣＩ−Ｅインタフェース、前記ＳＡＴＡインタフェースおよび前記ＵＳＢインタフェースの間での通信および伝達の制御を行うチップをさらに備えることを特徴とする請求項３に記載のソリッド・ステート・ディスク装置。
【考案の詳細な説明】
【技術分野】
【０００１】
本考案は、ソリッド・ステート・ディスク（Ｓｏｌｉｄ  Ｓｔａｔｅ  Ｄｉｓｋ：ＳＳＤ）装置に関し、特に複数の接続インタフェースを有するソリッド・ステート・ディスク装置に関する。
【背景技術】
【０００２】
ソリッド・ステート・ディスク装置は、データ記憶に関する新しい技術であり、書き込みと読み出しとを行う磁気ヘッドおよび流体軸受を用いる従来の方法と比べ、耐衝撃性および耐振動性に優れる。また、アクセス性能およびアクセス速度が従来のハードディスクよりも数倍から数十倍優れている。そのため、ソリッド・ステート・ディスク装置は、将来、データ記憶装置の主流となる可能性が大きい。
【０００３】
一般に、ハードディスクの接続方法には二種類ある。そのうちの一つは、コンピュータ本体にハードディスクを長時間接続する時に用いる方法である。例えば、ＳＡＴＡ（Ｓｅｒｉａｌ  Ａｄｖａｎｃｅｄ  Ｔｅｃｈｎｏｌｏｇｙ  Ａｔｔａｃｈｍｅｎｔ）インタフェースまたはＩＤＥ（Ｉｎｔｅｇｒａｔｅｄ  Ｄｒｉｖｅ  Ｅｌｅｃｔｒｏｎｉｃｓ）インタフェースを利用し、コンピュータ本体の内部インタフェーススロットに接続する方法である。もう一つは、ＵＳＢによりコンピュータ本体の外部に接続し、着脱を自在に行う方法である。従来のソリッド・ステート・ディスク装置の接続インタフェースは、上述した従来のハードディスクのそれぞれの接続方法を基に、別々に設計されている。即ち、長時間接続することが可能で、着脱を自在に行うことが可能な専用モジュールである。コンピュータ本体内にハードディスクを長時間装着したいが、時々その他のコンピュータ本体と接続してデータ伝送を行うユーザにとっては、その他のコンピュータ本体にＳＡＴＡまたはＩＤＥによる伝送を行う度に、コンピュータ本体を分解する必要が生じ、非常に煩雑であった。また、従来のソリッド・ステート・ディスク装置の接続インタフェースは、搭載される拡張メモリが交換できない固定タイプであったため、多くの拡張メモリを使用するユーザにとって不便であった。
【０００４】
そのため、ソリッド・ステート・ディスク装置の拡張メモリを交換することが可能であり、二種類の接続方式の接続インタフェースが一体化された、使用の利便性が高いソリッド・ステート・ディスク装置が求められていた。
【考案の開示】
【考案が解決しようとする課題】
【０００５】
本考案の目的は、ＳＡＴＡおよびＵＳＢを同時に備えるため必要に応じて接続方法を選択可能であり、ミニＰＣＩ−Ｅ（Ｍｉｎｉ  Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）インタフェースを使用する時に拡張メモリの交換が容易なソリッド・ステート・ディスク装置を提供することにある。
【課題を解決するための手段】
【０００６】
上述の目的を達成するため、請求項１によると、本考案は平板および複数の接続インタフェースを有するソリッド・ステート・ディスク装置である。この複数の接続インタフェースは、平板の一面上に配置される、拡張メモリと接続されるミニＰＣＩ−Ｅインタフェース、コンピュータ本体と接続されるＳＡＴＡインタフェース、およびコンピュータ本体と接続されるＵＳＢインタフェースを含むものであることを特徴とする。
【０００７】
請求項２によると、本考案は、ＳＡＴＡインタフェースおよびＵＳＢインタフェースが同時にコンピュータ本体に接続された時に、ＳＡＴＡインタフェースが選択されて実質的に接続されることを特徴とする。
【０００８】
請求項３によると、本考案では、複数の接続インタフェースは、平板の一面上に配置されてコンピュータ本体と接続されるＩＤＥインタフェースをさらに備えることを特徴とする。
【０００９】
請求項４によると、本考案では、平板の一面上に配置され、ミニＰＣＩ−Ｅインタフェース、ＳＡＴＡインタフェースおよびＵＳＢインタフェースの間での通信および伝達を制御するチップがさらに設けられることを特徴とする。
【考案の効果】
【００１０】
本考案のソリッド・ステート・ディスク装置は、ＳＡＴＡおよびＵＳＢを同時に備えるため、ユーザは必要に応じて接続方法を選択し、ミニＰＣＩ−Ｅインタフェースを使用する時、容易に拡張メモリを交換することができる。
【考案を実施するための最良の形態】
【００１１】
以下、本考案の実施形態を図面に基づいて説明する。
【００１２】
図１を参照する。図１は、本考案の好適な実施形態によるソリッド・ステート・ディスク装置１を示す斜視図である。ソリッド・ステート・ディスク装置１は、平板１００に、ミニＰＣＩ−Ｅインタフェース１０１、ＳＡＴＡインタフェース１０３およびＵＳＢインタフェース１０５を含む３つの接続インタフェースを備えたものである。平板１００の一面上に配置されるミニＰＣＩ−Ｅインタフェース１０１には、図示しない拡張メモリが接続される。また、平板１００の一面上に配置されるＳＡＴＡインタフェース１０３とＵＳＢインタフェース１０５とには、図示しないコンピュータ本体が接続される。ソリッド・ステート・ディスク装置１においては、平板１００の一面上にさらに、図示しないコンピュータ本体を接続するＩＤＥインタフェース１０７を備える。
【００１３】
本実施形態のソリッド・ステート・ディスク装置１は、２つのチップ１０２、１０４をさらに備える。チップ１０２は、ミニＰＣＩ−Ｅインタフェース１０１と、ＳＡＴＡインタフェース１０３およびＩＤＥインタフェース１０７との接続およびデータ伝送を制御する。チップ１０４は、ミニＰＣＩ−Ｅインタフェース１０１と、ＵＳＢインタフェース１０５との接続およびデータ伝送を制御する。このように接続インタフェースおよびチップが配置されたことにより、ユーザは必要に応じて接続方法を選ぶことができ、また、ミニＰＣＩ−Ｅインタフェース１０１上で拡張メモリを交換することができる。
【００１４】
また、２つのチップ１０２、１０４は、ＳＡＴＡインタフェース１０３およびＵＳＢインタフェース１０５、またはＩＤＥインタフェース１０７およびＵＳＢインタフェース１０５が同一のコンピュータ本体と同時に接続される時に、ＳＡＴＡインタフェース１０３またはＩＤＥインタフェース１０７を選択して実質的に接続する。
【００１５】
以上、当該分野の技術を熟知するものが理解できるように本考案の好適な実施形態を開示したが、本考案は上述した実施形態に限定されるものではなく、本考案の主旨と領域を脱しない範囲内で各種の変更や修正を加えることができる。従って、本考案の実用新案登録請求の範囲は、このような変更や修正を含めて広く解釈される。
【図面の簡単な説明】
【００１６】
【図１】本考案の好適な実施形態によるソリッド・ステート・ディスク装置を示す斜視図である。
【符号の説明】
【００１７】
１：ソリッド・ステート・ディスク装置、１００：平板、１０１：ミニＰＣＩ−Ｅインタフェース、１０２：チップ、１０３：ＳＡＴＡインタフェース、１０４：チップ、１０５：ＵＳＢインタフェース、１０７：ＩＤＥインタフェース
【図１】
0003141451.tif 000003
【手続補正書】
【提出日】平成20年2月19日(2008.2.19)
【手続補正１】
【補正対象書類名】図面
【補正対象項目名】図１
【補正方法】変更
【補正の内容】
【図１】
0003141451.tif 000004